(57)【要約】【課題】電気機器収納用キャビネットの箱体内に、一辺を固定支持した可動板を設けて、キャビネットの箱体内を２層構造とした電気機器収納用キャビネットにおいて、機器取り付け後の可動板の開き角度θを犠牲にすることなく、該キャビネットにおける機器集積率を大きくとることが可能な、電気機器収納用キャビネットを提供する。【解決手段】前面扉部と背面部と側面部とで囲まれた電気機器収納スペースを有する電気機器収納用キャビネットであって、該キャビネットの側面部若しくは背面部に支持された可動板により２段分割され、該可動板は、機器取付け面と、該機器取付け面の一端を前面扉部方向へ垂直に折曲した可動板取付面を有し、該可動板取付面と該キャビネットの側面部若しくは背面部とがヒンジ機構により接続され、該ヒンジ機構により、該可動板が該キャビネット内で扉方向に回動自在に支持される。【選択図】図４
2010273396.tif 000002
【特許請求の範囲】
【請求項１】
前面扉部と背面部と側面部と天井面部と床面部とで囲まれた電気機器収納スペースを有する電気機器収納用キャビネットであって、
該電気機器収納スペースは、該キャビネットの側面部若しくは背面部に支持された可動板により２段分割され、
該可動板は、機器取付け面と、該機器取付け面の一端を前面扉部方向へ垂直に折曲して形成した可動板取付面を有し、
該可動板取付面と該キャビネットの側面部若しくは背面部とがヒンジ機構により接続され、該ヒンジ機構により、該可動板が該キャビネット内で扉方向に回動自在に支持される
ことを特徴とする電気機器収納用キャビネット。
【請求項２】
該可動板取付面に配線孔を有することを特徴とする請求項１記載の電気機器収納用キャビネット。
【請求項３】
該可動板の該キャビネットの奥行方向に対する保持位置を調整可能な取付位置調整機構を備えたことを特徴とする請求項１又は２に記載の電気機器収納用キャビネット。
【発明の詳細な説明】
【技術分野】
【０００１】
本発明は電気機器収納用キャビネットに関するものである。
【背景技術】
【０００２】
電気機器収納用キャビネットの奥行方向に機器を積層して取り付ける手段として、図５に示すように、電気機器収納用キャビネット１の箱体内に機器取付用の可動板２を配置し、該箱体内を２層構造とする方法が知られている(例えば、特許文献１）。
【０００３】
該可動板２は、箱体内に回転軸を有しており、箱体の前面扉部１ａを開放後、該回転軸に沿って該可動板２を前面扉部方向に回転移動させると、箱体の背面側に位置する背面部１ｂに設置された機器取付面を露出させることができる構造を有している。上記した電気機器収納用キャビネット１の可動板２には通常電力計測用のメータ等の比較的厚みの薄い機器３ａを取付けておくことが一般的である。また、背面部１ｂの機器取付面にはブレーカ等の比較的厚みのある機器３ｃを取り付けてあり、機器を２層に配置している。
【０００４】
一方、可動板２に機器３ａ（制御機器等）を取り付け、電気機器収納用キャビネット１の機器集積率を向上させたいという要望がある。図６には、可動板２に厚みのある機器３ｂを取り付けた状態の断面説明図を示している。可動板２は電気機納収納用キャビネットの比較的深い位置で電気機器収納用キャビネット１の側面１ｃに回動自在に支持されている。箱体の機器取付面に配置された機器３ｃへの配線作業等を行う場合には、図６の矢印方向に可動板２を回転移動させ、箱体の奥側での作業性を確保することが求められる。
【０００５】
電気機器収納用キャビネットにおける機器集積率を向上させる観点からは、可動板２上に、厚みのある機器３ａの取り付けが可能な、機器取付可能スペース３を可動板２の端部に渡る位置まで広くとる事が好ましい。しかしながら、機器取付可能スペース３を広くとった場合、該可動板２に取り付けられる機器の厚みによっては、可動板２を回転移動させて箱体の機器取付面を露出させる際に、該可動板２に取り付けた機器と、箱体の側面１ｃとの接触によって、可動板２の開き角度θが小さくなり、箱体の奥側で配線作業を行う時の作業性が悪くなる可能性がある。作業性確保の観点の観点から、該可動板２に取り付けられる機器の厚みに関わらず、常に、可動板２の開き角度θが例えば９０度以上となるようにするためには、図７に示すように、可動板２上の機器取付可能スペース３を回転軸から所定距離離れた場所に限定することも考えられるが、この場合には該キャビネットにおける機器集積率が低下してしまう問題があった。
【先行技術文献】
【特許文献】
【０００６】
【特許文献１】実開昭５６−６１０９１号公報
【発明の概要】
【発明が解決しようとする課題】
【０００７】
本発明の課題は、前記の問題を解決し、電気機器収納用キャビネットの箱体内に可動板を配置し、該可動板の一辺を回転軸として回転移動可能に支持して、キャビネットの箱体内を２層構造とした電気機器収納用キャビネットにおいて、機器取り付け後の可動板の開き角度θを犠牲にすることなく、該キャビネットにおける機器集積率を向上させることが可能な、電気機器収納用キャビネットを提供することである。
【課題を解決するための手段】
【０００８】
上記課題を解決するためになされた本発明に係る電気機器収納用キャビネットは、前面扉部と背面機器取付け部と側面部とで囲まれた電気機器収納スペースを有する電気機器収納用キャビネットであって、該電気機器収納スペースは、該キャビネットの側面部若しくは背面部に支持された可動板により２段分割され、該可動板は、機器取付け面と、該機器取付け面の一端を前面扉部方向へ垂直に折曲して形成した可動板取付面を有し、該可動板取付面と該キャビネットの側面部若しくは背面部とがヒンジ機構により接続され、該ヒンジ機構により、該可動板が該キャビネット内で扉方向に回動自在に支持されることを特徴とするものである。
【０００９】
請求項２記載の発明は、請求項１記載の電気機器収納用キャビネットにおいて、該可動板取付面に配線孔を有することを特徴とするものである。
【００１０】
請求項３記載の発明は、請求項１又は２に記載の電気機器収納用キャビネットにおいて、該可動板の該キャビネットの奥行方向に対する保持位置を調整可能な取付位置調整機構を備えたことを特徴とするものである。
【発明の効果】
【００１１】
本発明に係る電気機器収納用キャビネットは、キャビネット内を２層構造とするための可動式仕切り板の構成として、機器取付け面と該機器取付け面の一端を前面扉部方向へ垂直に折曲して形成した可動板取付面を有し、該可動板取付面と該キャビネットの側面部若しくは背面部とがヒンジ機構により接続され、該ヒンジ機構により、該キャビネット内で扉方向に回動自在に支持される構成を採用している。これにより、電気機器収納用キャビネットの箱体内に、一辺を固定支持した可動板を設けて、キャビネットの箱体内を２層構造とした電気機器収納用キャビネットにおいて、機器取り付け後の可動板の開き角度θを犠牲にすることなく、該キャビネットにおける機器集積率を向上させることを可能とした。
【図面の簡単な説明】
【００１２】
【図１】本発明に係る電気機器収納用キャビネットの全体図である。
【図２】可動板の説明図である。
【図３】可動板を該キャビネット内に支持する支持機構の説明図である。
【図４】本発明に係る電気機器収納用キャビネットの断面説明図である。
【図５】従来の２層構造キャビネットの断面説明図である。
【図６】従来の２層構造キャビネットの断面説明図である。
【図７】従来の２層構造キャビネットの断面説明図である。
【図８】可動板を該キャビネット内に支持する支持機構の他の例の説明図である。
【発明を実施するための形態】
【００１３】
以下に本発明の好ましい実施形態を示す。
【００１４】
図１には、本発明に係る電気機器収納用キャビネットの全体図を示している。
【００１５】
本発明の電気機器収納用キャビネット１は、前面扉部１ａと、背面部１ｂと、側面部１ｃと、天井面部１ｄと、床面部１ｅとで囲まれた電気機器収納スペースを有し、該電気機器収納スペースは、該側面部１ｃに支持された可動板２により２段分割される構造を有する。
【００１６】
本発明のキャビネット１の外枠を構成する筺体は、正面に開口部を有する箱体であって、該開口部の周囲に水切部１ｆを有する。該開口部には、前面扉部１ａが回転自在に支持される。
【００１７】
該キャビネット内に収納される機器は、該筺体の背面部１ｂの内側に設置された機器取付面１ｇを構成する鉄製の機器取付ベース上と、該筺体の側面に位置する側面部１ｃに回転自在に支持された可動板２に形成した機器取付け面２ａに取り付けられて機器を２層に配置している。機器取付面１ｇには、例えば、分電盤の内機であるブレーカ等を配置することができる。可動板２の機器取付け面２ａには、例えば、各種制御機器を配置することができる。
【００１８】
図２には、電気機器収納用キャビネット１に用いる可動板２の説明図を示し、図３には、該可動板２の支持機構の説明図を示している。
【００１９】
図２に示すように、本発明の電気機器収納用キャビネット１に用いる可動板２は、機器取付け面２ａと、該機器取付け面の一端を前面扉部方向へ垂直に折曲して形成した可動板取付面２ｂを有する。また、可動板取付面２ｂには機器取付け面２ａ上に配置される機器の配線を引き出す配線孔２ｃが形成されている。配線孔２ｃより引き出される配線は可動板２を回動自在に支持するヒンジ機構６を取り付けた支持フレーム５等に結束され、電気機器収納用キャビネット１の機器取付面１ｇ上に配置される機器や主幹ブレーカ等に接続されている。なお、可動板取付面２ｂに平行して機器取付け面２ａ上に配線ダクトを設け、機器取付け面２ａ上の機器の配線を収納しておくことが好ましい。
【００２０】
図３に示すように、可動板２は、側面部１ｃの上下位置に平行配置された一対の位置調節バー４と、該上下の位置調節バー４に保持される支持フレーム５と、該支持フレーム５上にねじ固定された軸受部６ａと、可動板２の可動板取付面２ｂ上にねじ固定された略Ｌ字状のヒンジ辺６ｂと、及び軸受部６ａとヒンジ辺６ｂとを軸支するヒンジピン６ｃからなる支持機構により、該筺体に回転自在に支持される。
【００２１】
なお、可動板２は取付位置調整機構により、キャビネットの奥行方向に対する保持位置を調整できるものとすることが好ましい。図３に示す実施形態では、取付位置調整機構は該位置調節バー４が、支持フレーム５を保持する位置を奥行方向に調節することにより搭載する機器の厚みによって支持フレーム５の保持位置を適宜調整することができる。すなわち、側面部１ｃの上下位置に平行配置された一対の位置調節バー４に、奥行き方向に連続する調整孔１０をそれぞれ形成し、支持フレーム５の保持位置を厚みのある機器を搭載する時には、キャビネット開口部近傍の調整孔とし、厚みの薄い機器を搭載する時には、キャビネット開口部より離れた位置の調整孔とする。上記構造により、可動板２の機器取付け面２ａに搭載される機器の厚みに応じて可動板のキャビネット１の奥行方向に対する取付位置を調整することが可能な構造としている。
【００２２】
なお、取付位置調整機構は図８に示すように、支柱フレーム５をキャビネット１の前面開口近傍固定し、該支柱フレーム５に回動自在に支持したヒンジ機構６のヒンジ辺６ｂと、可動板２の可動板取付面２ｂの端部に連続して形成した調整孔１０によるものとしてもよい。これにより、厚みのある機器を搭載する時には、可動板取付面２ｂの先端部に設けた調整孔１０とヒンジ辺６ｂとを固定するものとし、厚みの薄い機器を搭載する時には、可動板取付面２ｂの基端部に設けた調整孔１０とヒンジ辺６ｂとを固定するものとする。上記構造により、可動板２の機器取付け面２ａに搭載される機器の厚みに応じて可動板のキャビネット１の奥行方向に対する取付位置を調整することが可能な構造としている。
【００２３】
可動板２は、前記のように該軸受部６ａとヒンジ辺６ｂとからなるヒンジ機構６により、該筺体１内で扉方向に回動自在に支持されるが、ヒンジ辺６ｂは略Ｌ字状に形成された各辺を可動板２にねじ止め固定しているため、可動板２を安定的に支持することができる。
【００２４】
また、該可動板２には、該可動板２の開き角度θがゼロ（可動板が閉状態）にある状態で該可動板２を施錠固定するための施錠孔２ｄを備えている。
【００２５】
図４には、本発明に係る電気機器収納用キャビネットの断面説明図を示している。
【００２６】
本発明では、前記Ｌ字折曲構造を有する可動板２を、図４に示すように配置することにより、該可動板２に厚みのある機器を設置した場合であっても、該可動板２の開き角度θが大きくなる方向に回転させた際に、水切部１ｆにより取り付ける機器の厚みが制限さる機器取付領域（制限スペース９ｂ）を低減させ、水切部１ｆと干渉しないで機器取付が可能なスペース（不干渉スペース９ａ）を広くとることを可能としている。
【００２７】
なお、可動板取付面２ｂの近傍領域に位置する制限スペース９ｂは、不干渉スペース９ａと比べて高さ方向が小さくなるため、該制限スペース９ｂは、前述したような可動板２に配置する機器への配線を収納する配線用ダクトを配置する領域として利用することが好ましい。
【００２８】
また、前記のように可動板２の右上部には施錠孔２ｄを設け、可動板の開き角度θがゼロ（可動板が閉状態）にあるとき、筺体の天井面部１ｄから垂下する支柱７と係合する構成とした。閉状態にある可動板は、該支柱７に支えられて、筺体内で所定位置に安定保持される。なお、筺体内の機器集積率を大きくする観点から、該支柱７を、天井より垂下させる構造として、電気機器収納スペース内における該支柱による空間占有比率を低く抑え、電気機器収納スペースとして活用することが好ましい。
【００２９】
なお、上述した実施形態では水切部１ｆを有する屋外用キャビネットであるが、水切部１ｆを有しない屋内用キャビネットでもよい。この場合には可動板２を開いた時にキャビネットの側面部１ｃと機器が干渉する部分に対応する機器取付領域が制限スペース９ｂとなる。さらに、上述した実施形態では、可動板２のヒンジ機構は箱体の前面扉部１ａの回動軸と箱本体の正面開口を挟んだ反対側に設置されているが、同じ側に設置されていてのよい。
【００３０】
さらに、上記実施形態では可動板２は電気機器収納用キャビネット１の側面部１ｃに支持されたものであるが、該キャビネットの背面部１ｂより腕部を開口側に向けて突出させ、該腕部の先端に可動板２の可動板取り付け面２ａを支持する構造としてもよい。
【００３１】
なお、電気機器収納スペースの一部のみを、可動板２により２段分割された構造とし、他のスペースを可動板２により２段分割されない奥行きの深いスペースとすれば、該他のスペースには、例えば主幹ブレーカ８等、２層構造の電気機器収納スペースに収まらない大型の機器を配置することができる。この場合、主幹ブレーカ８を、天井より垂下させる構造として、電気機器収納スペース内における該主幹ブレーカ８による空間占有比率を低く抑え、電気機器収納スペースとして活用することが好ましい。
【符号の説明】
【００３２】
１  電気機器収納用キャビネット
１ａ  前面扉部
１ｂ  背面部
１ｃ  側面部
１ｄ  天井面部
１ｅ  床面部
１ｆ  水切部
１ｇ  機器取付面
２  可動板
２ａ  機器取付け面
２ｂ  可動板取付面
２ｃ  配線孔
３  機器取付可能スペース
３ａ  厚みの薄い機器
３ｂ  厚みのある機器 
３ｃ  厚みのある機器 
４  位置調節バー
５  支持フレーム
６  ヒンジ機構
６ａ  軸受部
６ｂ  ヒンジ辺
６ｃ  ヒンジピン
７  支柱
８  主幹ブレーカ
９ａ  不干渉スペース
９ｂ  制限スペース
１０  調整孔
【図１】
2010273396.tif 000003
【図２】
2010273396.tif 000004
【図３】
2010273396.tif 000005
【図４】
2010273396.tif 000006
【図５】
2010273396.tif 000007
【図６】
2010273396.tif 000008
【図７】
2010273396.tif 000009
【図８】
2010273396.tif 000010